(57)【要約】【課題】大きな妨害信号の存在する受信条件であっても、受信品質を改善できるチューナ受信部およびこれを用いた高周波受信装置を提供する。【解決手段】第１のチューナ部１０３の入力部に設けられ、第１の入力端子１０３ａからの信号が一方の入力に接続される合成器１１３、第１のＲＦＡＧＣ電圧とＩＦＡＧＣ電圧により受信品質を劣化させる第１の妨害信号があるかどうかを判定する妨害信号判定器２１０、第２のＲＦＡＧＣ電圧とＩＦＡＧＣ電圧により最も大きなレベルの第２の妨害信号を判定する受信信号判定器２１２、妨害信号判定器２１０と受信信号判定器２１２からのそれぞれの判定信号が入力され、第１の妨害信号をキャンセルするための制御信号を供給する受信品質制御器２１４、この受信品質制御器２１４からの制御信号により第２の妨害信号からキャンセル信号を生成して合成器１１３の他方の入力に供給するキャンセル信号生成部１１１とを設ける。【選択図】図１
2009232140.tif 000002
【特許請求の範囲】
【請求項１】
第１、第２のチューナ部によりダイバシティ受信が可能なチューナ受信部であって、前記第１のチューナ部は、第１の入力端子から第１の出力端子に向かって順に接続された利得制御可能な第１のＲＦ増幅器、第１の混合器、妨害信号を抑圧する第１のフィルタ、利得制御可能な第１のＩＦ増幅器、デジタル信号処理をする第１のデジタル信号処理部と、前記第１の混合器からの出力信号が供給されるとともに第１のＲＦＡＧＣ（ＲＦ利得制御）電圧により前記第１のＲＦ増幅器を利得制御する第１のＲＦＡＧＣ制御器と、前記第１のデジタル信号処理部からの信号が供給されるとともに第１のＩＦＡＧＣ（ＩＦ利得制御）電圧により前記第２のＩＦ増幅器を利得制御する第１のＩＦ利得制御器とを備え、前記第２のチューナ部は、第２の入力端子から第２の出力端子に向かって順に接続された利得制御可能な第２のＲＦ増幅器、第２の混合器、妨害信号を抑圧する第２のフィルタ、利得制御可能な第２のＩＦ増幅器、デジタル信号処理をする第２のデジタル信号処理部と、前記第２の混合器からの出力信号が供給されるとともに第２のＲＦＡＧＣ電圧により前記第２のＲＦ増幅器を利得制御する第２のＲＦＡＧＣ制御器と、前記第２のデジタル信号処理部からの信号が供給されるとともに第２のＩＦＡＧＣ電圧により前記第２のＩＦ増幅器を利得制御する第２のＩＦ利得制御器とを備え、前記第１のチューナ部の入力部に設けられるとともに前記第１の入力端子からの信号が一方の入力に接続される合成器と、前記第１のＲＦＡＧＣ電圧と前記第１のＩＦＡＧＣ電圧により受信品質を劣化させる第１の妨害信号があるかどうかを判定する妨害信号判定器と、前記第２のＲＦＡＧＣ電圧と前記第２のＩＦＡＧＣ電圧により最も大きなレベルの前記第２の妨害信号を判定する受信信号判定器と、前記妨害信号判定器と前記受信信号判定器からのそれぞれの判定信号が入力されるとともに前記第１の妨害信号をキャンセルするための制御信号を供給する受信品質制御器と、この受信品質制御器からの制御信号により前記第２の妨害信号からキャンセル信号を生成して前記合成器の他方の入力に供給するキャンセル信号生成部を設け、前記妨害信号判定器の判定信号に基づいて前記第２のチューナ部により前記第２の妨害信号を選局し、この第２の妨害信号から前記キャンセル信号生成部により生成された前記キャンセル信号により前記第１の妨害信号をキャンセルするチューナ受信部。
【請求項２】
第１の入力端子と合成器の一方の入力との間に高周波信号を増幅する高周波増幅器を挿入する請求項１に記載のチューナ受信部。
【請求項３】
第２のデジタル信号処理部は、入力から出力に向かって順に、アナログ信号をデジタル信号に変換する第２のＡ／Ｄコンバータ、妨害信号を抑圧する第２のデジタルフィルタ、高速フーリエ変換する第２のＦＦＴが接続され、前記第２のデジタルフィルタの出力信号は第２のＩＦ増幅器の入力に供給され、前記第２のデジタルフィルタの出力信号は前記キャンセル信号生成部に第２の妨害信号として供給され、キャンセル信号生成部は、第２の妨害信号が入力されるキャンセル信号生成器と、このキャンセル信号生成器の位相と振幅を受信品質制御部からの制御信号により制御する位相・振幅制御器と、前記キャンセル信号生成器からのキャンセル信号が供給されるとともに発振器により周波数変換された信号を合成器の他方の入力に供給するコンバータとからなる請求項１に記載のチューナ受信部。
【請求項４】
キャンセル信号生成器には、第２のデジタルフィルタの出力信号に代わって第２のフィルタの出力信号が供給され、前記キャンセル信号生成器とコンバータとの間に挿入されたＤＡコンバータが削除されて短絡される請求項３に記載のチューナ受信部。
【請求項５】
第２のチューナ部の第１の入力端子と第２のＲＦ増幅器との間に、同調周波数を可変することにより希望信号を選択できる同調可変フィルタを設け、この同調可変フィルタの出力信号がキャンセル信号生成器に供給される請求項１に記載のチューナ受信部。
【請求項６】
妨害信号判定器は、第１のＲＦＡＧＣ電圧から第１のＩＦＡＧＣ電圧を差し引いた第１のＲＦ−ＩＦＡＧＣ電圧を用いて第１の妨害信号による受信品質を判定する請求項１に記載のチューナ受信部。
【請求項７】
妨害信号判定器は、第１のＲＦＡＧＣ電圧の最大利得電圧とこの最大利得電圧に近接して設けられた最大利得判定電圧との間の最大利得制御範囲Ａと、前記第１のＩＦＡＧＣ電圧の最小利得電圧とこの最小利得電圧に近接して設けられた最小利得判定電圧との間の最小利得制御範囲Ｂを用いて、第１の妨害信号による受信品質を判定する請求項１に記載のチューナ受信部。
【請求項８】
受信信号判定器は、第２のＲＦＡＧＣ電圧から第２のＩＦＡＧＣ電圧を差し引いた第２のＲＦ−ＩＦＡＧＣ電圧を用いて第２の妨害信号を判定する請求項１に記載のチューナ受信部。
【請求項９】
妨害信号判定器は、第２のＲＦＡＧＣ電圧の最大利得電圧とこの最大利得電圧に近接して設けられた最大利得判定電圧との間の最大利得制御範囲Ａと、前記第２のＩＦＡＧＣ電圧の最小利得電圧とこの最小利得電圧に近接して設けられた最小利得判定電圧との間の最小利得制御範囲Ｂを用いて、第２の妨害信号を判定する請求項１に記載のチューナ受信部。
【請求項１０】
請求項１に記載のチューナ受信装置に設けられた第１、第２の出力端子からの出力信号が供給されるとともにダイバシティ制御および誤り訂正を行うダイバシティ・誤り訂正部が設けられた高周波受信装置。
【発明の詳細な説明】
【技術分野】
【０００１】
本発明は、希望信号に対して強い妨害信号が存在する受信状況においても、良好な受信品質を可能とするチューナ受信部とこれを用いた高周波受信装置に関するものである。
【背景技術】
【０００２】
以下、従来の高周波受信装置について説明する。図８に示すように、従来の高周波受信装置１は、チューナ部３、５と、これらチューナ部３、５の出力がそれぞれ接続されるダイバシティ・誤り訂正部７とから構成されていた。
【０００３】
チューナ部３では、アンテナで受信された信号は、ＲＦ増幅器９、ＩＦ増幅器１１により利得制御され、また混合器１３により周波数変換され、フィルタ１５、１７により妨害信号が抑圧されたのち、デジタル信号が出力される。
【０００４】
同様に、アンテナで受信された信号は、ＲＦ増幅器１９、ＩＦ増幅器２１により利得制御され、また混合器２３により周波数変換され、フィルタ２５、２７により妨害信号が抑圧されたのち、デジタル信号が出力される。
【０００５】
これらデジタル信号は、ダイバシティ・誤り訂正部７に入力される。このダイバシティ・誤り訂正部７では、ダイバシティ受信とシングル受信の切替えと、誤り訂正を行って、ＴＳ（トランスポートストリーム）を出力する。
【０００６】
なお、この出願の発明に関連する先行技術文献情報としては、例えば、特許文献１が知られている。
【特許文献１】特開２００８−２２２９４号公報
【発明の開示】
【発明が解決しようとする課題】
【０００７】
従来の高周波受信装置１では、希望信号だけが入力端子に入力されると、この希望信号レベルが大きくなると、この大きさに応じてＲＦ増幅器９、１９を利得制御するＲＦＡＧＣ電圧が変化し、さらにＩＦ増幅器１１、２１を利得制御するＩＦＡＧＣ電圧が変化した。これにより、各増幅器、混合器には最適な信号レベルが入力された。
【０００８】
しかしながら、希望信号とともに大きな妨害信号が入力端子に入力されると、この大きな妨害信号レベルによりＲＦ増幅器９、１９は大きく利得制御される。つまり、ＲＦ増幅器９、１９の雑音指数が大きく劣化することになる。
【０００９】
このため、ＲＦ増幅器９、１９からは、一定レベルとされた妨害信号と、雑音指数の劣化によりＣ／Ｎの悪い希望信号が出力される。
【００１０】
さらに、フィルタ１５、２５からは、妨害信号は抑圧されるが、Ｃ／Ｎの悪い希望信号が出力される。このＣ／Ｎの悪い希望信号は、ＩＦ増幅器１１、２１により最大利得に近い状態で増幅される。
【００１１】
このように、希望信号とともに大きな妨害信号がＲＦ増幅器９、１９に入力されると、大きな妨害信号によってこのＲＦ増幅器９、１９の利得制御が行われる。
【００１２】
このため、ＲＦ増幅器９、１９の雑音指数が大きく劣化し、Ｃ／Ｎの悪い希望信号が出力され、受信品質が劣化するという問題があった。
【００１３】
そこで、本発明は、この問題を解決したもので、大きな妨害信号の存在する受信条件であっても、受信品質を改善できるチューナ受信部およびこれを用いた高周波受信装置を提供することを目的としたものである。
【課題を解決するための手段】
【００１４】
この目的を達成するために、第１のチューナ部の入力部に設けられるとともに第１の入力端子からの信号が一方の入力に接続される合成器と、第１のＲＦＡＧＣ電圧と第１のＩＦＡＧＣ電圧により受信品質を劣化させる第１の妨害信号があるかどうかを判定する妨害信号判定器と、第２のＲＦＡＧＣ電圧と第２のＩＦＡＧＣ電圧により最も大きなレベルの第２の妨害信号を判定する受信信号判定器と、前記妨害信号判定器と前記受信信号判定器からのそれぞれの判定信号が入力されるとともに前記第１の妨害信号をキャンセルするための制御信号を供給する受信品質制御器と、この受信品質制御器からの制御信号により前記第２の妨害信号からキャンセル信号を生成して前記合成器の他方の入力に供給するキャンセル信号生成部を設け、前記妨害信号判定器の判定信号に基づいて前記第２のチューナ部により前記第２の妨害信号を選局し、この第２の妨害信号から前記キャンセル信号生成部により生成された前記キャンセル信号により前記第１の妨害信号をキャンセルする。
【００１５】
これにより、所期の目的を達成することが可能となる。
【発明の効果】
【００１６】
以上のように、第１のチューナ部の入力部に設けられるとともに第１の入力端子からの信号が一方の入力に接続される合成器と、第１のＲＦＡＧＣ電圧と第１のＩＦＡＧＣ電圧により受信品質を劣化させる第１の妨害信号があるかどうかを判定する妨害信号判定器と、第２のＲＦＡＧＣ電圧と第２のＩＦＡＧＣ電圧により最も大きなレベルの第２の妨害信号を判定する受信信号判定器と、前記妨害信号判定器と前記受信信号判定器からのそれぞれの判定信号が入力されるとともに前記第１の妨害信号をキャンセルするための制御信号を供給する受信品質制御器と、この受信品質制御器からの制御信号により前記第２の妨害信号からキャンセル信号を生成して前記合成器の他方の入力に供給するキャンセル信号生成部を設け、前記妨害信号判定器の判定信号に基づいて前記第２のチューナ部により前記第２の妨害信号を選局し、この第２の妨害信号から前記キャンセル信号生成部により生成された前記キャンセル信号により前記第１の妨害信号をキャンセルする。
【００１７】
これにより、大きな妨害信号の存在する受信条件であっても、受信品質を改善できるチューナ受信部およびこれを用いた高周波受信装置を提供できる。
【発明を実施するための最良の形態】
【００１８】
（実施の形態１）
以下、本発明の実施の形態１について、図１を用いて説明する。図１は、高周波受信装置１０１のブロック図である。本発明の実施の形態では一実施例として、デジタル方式のテレビ放送信号を受信する高周波受信装置１０１について説明する。
【００１９】
この高周波受信装置１０１は、第１のチューナ部１０３と、第２のチューナ部１０５と、この第１のチューナ部１０３、第２のチューナ部１０５の出力がそれぞれ接続されたダイバシティ・誤り訂正部１０７と、第１のチューナ部１０３、第２のチューナ部１０５に入力される妨害信号を判定するとともにこの判定信号に基づいて受信品質を制御する受信品質制御部１０９と、この受信品質制御部１０９からの制御信号が入力されるとともに第２のチューナ部１０５で受信した受信品質を劣化させる妨害信号をキャンセルするキャンセル信号を生成するキャンセル信号生成部１１１とから構成されている。
【００２０】
さらに、このキャンセル信号生成部１１１からのキャンセル信号は、第１のチューナ部１０３の入力部に設けられた合成器１１３の他方の入力に供給されている。また、第１のチューナ部１０３、第２のチューナ部１０５、受信品質制御部１０９、キャンセル信号生成部１１１によりチューナ受信部１１５を構成している。
【００２１】
以下、チューナ部１０３の構成について説明する。このチューナ部１０３には、高周波信号が入力される入力端子１０３ａと、デジタル信号が出力される出力端子１０３ｂが設けられている。
【００２２】
入力端子１０３ａと出力端子１０３ｂの間には、入力端子１０３ａ側から順に、高周波信号を増幅する高周波増幅器１１７と、受信帯域信号を通過させるフィルタ１１２と、このフィルタ１１２の出力が一方の入力に供給される合成器１１３と、利得制御入力１１９ａにより利得制御の可能なＲＦ増幅器１１９と、ＲＦ増幅器１１９の出力が一方の入力に接続される混合器１２１と、周波数変換された出力信号を通過させるとともに希望信号以外の妨害信号を抑圧するフィルタ１２３と、利得制御入力１２５ａにより利得制御の可能なＩＦ増幅器１２５と、デジタル信号処理した信号を出力するデジタル信号処理部１２７が接続されている。
【００２３】
また、混合器１２１の他方の入力には、発振器１２９の出力が接続されている。この発振器１２９には、ＰＬＬ回路１３１から出力される制御電圧が供給されている。このＰＬＬ回路１３１への制御データにより、発振器１２９の発振周波数を決定できる。
【００２４】
さらに、混合器１２１の出力信号は、第１のＲＦ利得制御電圧（以下、第１のＲＦＡＧＣ電圧という。）を出力するＲＦ利得制御器１３３に入力される。この第１のＲＦＡＧＣ電圧は、ＲＦ増幅器１１９の利得制御入力１１９ａと出力端子１３３ａに接続されている。なお、ＲＦ利得制御器１３３への入力は、フィルタ１２３の出力信号を用いてもよい。この場合には、妨害信号の影響を小さくできる。
【００２５】
また、デジタル信号処理部１２７は、入力から出力端子１０３ｂに向かって順に、アナログ信号をデジタル信号に変換するＡ／Ｄコンバータ１３５、妨害信号を抑圧するデジタルフィルタ１３７、高速フーリエ変換した信号を出力するＦＦＴ（高速フーリエ変換）１３９が接続されている。
【００２６】
このデジタルフィルタ１３７の出力信号は、ＩＦ利得制御器１４１に供給されている。このＩＦ利得制御器１４１から出力される第１のＩＦ利得制御電圧（以下、第１のＩＦＡＧＣ電圧という。）は、ＩＦ増幅器１２５の利得制御入力１２５ａ、および出力端子１４１ａに接続されている。
【００２７】
同様に、チューナ部１０５の構成について説明する。このチューナ部１０５には、高周波信号が入力される入力端子１０５ａと、デジタル信号が出力される出力端子１０５ｂが設けられている。
【００２８】
入力端子１０５ａと出力端子１０５ｂの間には、入力端子１０５ａ側から順に、高周波信号を増幅する高周波増幅器１６７と、受信帯域信号を通過させるフィルタ１６８と、利得制御入力１６９ａにより利得制御の可能なＲＦ増幅器１６９と、ＲＦ増幅器１６９の出力が一方の入力に接続される混合器１７１と、周波数変換された出力信号を通過させるとともに希望信号以外の妨害信号を抑圧するフィルタ１７３と、利得制御入力１７５ａにより利得制御の可能なＩＦ増幅器１７５と、デジタル信号処理した信号を出力するデジタル信号処理部１７７が接続されている。
【００２９】
また、混合器１７１の他方の入力には、発振器１７９の出力が接続されている。この発振器１７９には、ＰＬＬ回路１８１から出力される制御電圧が供給されている。このＰＬＬ回路１８１への制御データにより、発振器１７９の発振周波数を決定できる。
【００３０】
さらに、混合器１７１の出力信号は、第２のＲＦ利得制御電圧（以下、第２のＲＦＡＧＣ電圧という。）を出力するＲＦ利得制御器１８３に入力される。この第２のＲＦＡＧＣ電圧は、ＲＦ増幅器１６９の利得制御入力１６９ａと出力端子１８３ａに接続されている。なお、ＲＦ利得制御器１８３への入力は、フィルタ１７３の出力信号を用いてもよい。この場合には、妨害信号の影響を小さくできる。
【００３１】
また、デジタル信号処理部１７７は、入力から出力端子１０５ｂに向かって順に、アナログ信号をデジタル信号に変換するＡＤコンバータ１８５、妨害信号を抑圧するデジタルフィルタ１８７、高速フーリエ変換した信号を出力するＦＦＴ１８９が接続されている。
【００３２】
このデジタルフィルタ１８７の出力信号は、ＩＦ利得制御器１９１に供給されている。このＩＦ利得制御器１９１から出力される第２のＩＦ利得制御電圧（以下、第２のＩＦＡＧＣ電圧という。）は、ＩＦ増幅器１７５の利得制御入力１７５ａ、および出力端子１９１ａに接続されている。
【００３３】
次に、第１のチューナ部１０３、第２のチューナ部１０５の出力信号が供給されるダイバシティ・誤り訂正部１０７について説明する。
【００３４】
出力端子１０３ｂ、１０５ｂから出力されるデジタル信号は、ダイバシティ部２０１にそれぞれ入力される。このダイバシティ部２０１は、ダイバシティ制御部２０３により、シングル受信あるいはダイバシティ受信を選択することができる。
【００３５】
このダイバシティ部２０１からのデジタル信号は、誤り訂正部２０５により誤り訂正が行われ、出力端子１０７ａからは、ＴＳ（トランスポートストリーム）信号が出力される。
【００３６】
さらに、誤り訂正部２０５にはＢＥＲ判定器２０７が接続されている。このＢＥＲ判定器２０７から出力されるＢＥＲ（ビットエラレート）信号は、ダイバシティ制御部２０３に入力される。このダイバシティ制御部２０３は、ＢＥＲ信号に応じて、ダイバシティ部２０１、および第１のチューナ部１０３と第２のチューナ部１０５を制御し、シングル受信、ダイバシティ受信を決定することができる。なお、ＢＥＲ判定器２０７によりＢＥＲを判定したが、ＰＥＲあるいはＣ／Ｎを判定してもよい。
【００３７】
次に、受信品質制御部１０９の構成について説明する。この受信品質制御部１０９は、第１のチューナ部１０３の第１のＲＦＡＧＣ電圧、第１のＩＦＡＧＣ電圧により妨害信号を判定する妨害信号判定器２１０と、第２のチューナ部１０５の第２のＲＦＡＧＣ電圧、第２のＩＦＡＧＣ電圧により妨害信号を判定する受信信号判定器２１２と、これら妨害信号判定器２１０と受信信号判定器２１２のそれぞれの判定信号が入力される受信品質制御器２１４から構成されている。
【００３８】
さらに、キャンセル信号生成部１１１は、受信品質制御器２１４からの制御信号が入力される位相・振幅制御器２１６と、この位相・振幅制御器２１６からの制御信号によりデジタルフィルタ１８７から出力される信号の位相、振幅を変化できるキャンセル信号生成器２１８と、このキャンセル信号生成器２１８からのキャンセル信号が一方の入力に供給されＰＬＬ回路２２６により制御される発振器２２４が他方の入力に供給される混合器２２２から構成されている。
【００３９】
また、この混合器２２２の出力は、合成器１１３の他方の入力に接続されている。
【００４０】
以上のように構成された高周波受信装置１０１の第１のチューナ部１０３、１０５の動作について、第１のチューナ部１０３を代表として以下説明する。
【００４１】
すなわち、第２のチューナ部１０５の構成は、第１のチューナ部１０３から合成器１１３を削除している点が異なるので、第１のチューナ部１０３の動作は、第２のチューナ部１０５の動作と同じである。
【００４２】
なお、ＲＦ増幅器１１９、１６９の利得制御範囲は、例えば０〜−５０ｄＢｍ（入力端子１０３ａ、１０５ａでの値）としている。ＩＦ増幅器１２５、１７５の利得制御範囲は、例えば−５０ｄＢｍ〜−１００ｄＢｍ（入力端子１０３ａ、１０５ａでの値）としている。
【００４３】
さらに、これら利得制御範囲は、ＲＦ増幅器１１９、混合器１２１等の利得、雑音指数、および歪特性に応じて最適な範囲に変えることができる。これは、ＲＦ増幅器１６９、混合器１７１においても同様である。
【００４４】
図１において、高周波信号は、入力端子１０３ａを介して高周波増幅器１１７により増幅されたのち、フィルタ１１２により妨害信号が抑圧され、さらに合成器１１３を介してＲＦ増幅器１１９に入力される。このＲＦ増幅器１１９により利得制御された後、混合器１２１の一方の入力に供給される。
【００４５】
この混合器１２１の他方の入力にはＰＬＬ回路１３１により制御された発振器１２９の発振信号が供給されている。このＰＬＬ回路１３１から出力される制御電圧により発振器１２９の発振周波数が制御され、これにより、混合器１２１では受信信号の中の希望信号を選局できる。なお、ＰＬＬ回路１３１には、受信品質制御器２１４からの制御信号が入力されている。
【００４６】
この混合器１２１の出力信号は、例えば８ＭＨｚの中間周波数となる希望信号が出力される。この中間周波信号は、フィルタ１２３に入力される。このフィルタ１２３では、固定のＢＰＦ（バンドパスフィルタ）として例えばＳＡＷフィルタを用いることができるので、近接した妨害信号を抑圧できる。
【００４７】
あるいは、混合器１２１の出力信号は、例えば４２９ｋＨｚの帯域幅を有する１セグメント受信のために５００ｋＨｚの中間周波数とできる。この中間周波数の信号は、妨害信号が抑圧されるフィルタ１２３として例えばＬＰＦ（ローパスフィルタ）を用いて近接した妨害信号を十分に抑圧できる。
【００４８】
このようにして、ＲＦ利得制御器１３３は、混合器１２１の出力信号が一定レベルになるようにＲＦ増幅器１１９を利得制御する。また、ＩＦ利得制御器１４１は、ＦＦＴ１３９への入力信号レベルが一定になるようにＩＦ増幅器１２５を利得制御する。
【００４９】
このように、入力端子１０３ａに入力された高周波信号は、ＲＦ増幅器１１９、ＩＦ増幅器１２５において利得制御が行われ、混合器１２１により周波数変換され、フィルタ１２３およびデジタルフィルタ１３７により妨害信号が十分に抑圧される。そして、第１の出力端子１０３ｂからは、歪、ノイズの小さい復調信号が出力されることになる。
【００５０】
このように構成されたチューナ受信部１１５に対して、希望信号とともに大きな妨害信号が入力されると、この大きな妨害信号により受信品質が劣化してしまうことが問題となる。
【００５１】
この場合の原因として、Ｃ／Ｎの劣化と、混合器１２１、１７１での歪があげられる。この中でも、大きな妨害信号によりＲＦ増幅器１１９、１６９の利得制御が行われ希望信号が抑圧され、同時にＲＦ増幅器１１９、１６９の雑音指数が大きく劣化する。このため、Ｃ／Ｎが劣化し、受信品質が損なわれることが問題となる。
【００５２】
この受信品質を改善するための受信品質制御部１０９の動作について以下説明する。この受信品質制御部１０９では、妨害信号判定器２１０が第１のチューナ部１０３からの第１のＲＦＡＧＣ電圧と第１のＩＦＡＧＣ電圧により希望信号に対する大きな妨害信号を判定する。
【００５３】
この判定信号に基づいて、第２のチューナ部１０５により受信信号を順次選局していく。この第２のチューナ部１０５からの第２のＲＦＡＧＣ電圧と第２のＩＦＡＧＣ電圧により受信信号判定器２１２では、最も大きな妨害信号を判定する。
【００５４】
この受信品質制御部１０９を構成する妨害信号判定器２１０の動作について説明する。
【００５５】
なお、ＲＦＡＧＣ電圧、ＩＦＡＧＣ電圧ともに、０Ｖ付近を利得最大値とし、高い電圧付近を利得最小としている。
【００５６】
最初に、希望信号だけが入力される場合の妨害信号判定器２１０の動作について、図２（ａ）、（ｂ）、（ｃ）を用いて説明する。
【００５７】
図２（ａ）は、希望信号レベルに対するＲＦ増幅器１１９の第１のＲＦＡＧＣ電圧３０１の特性図である。横軸は、入力端子１０３ａ、１０５ａでの入力信号レベル３０２、縦軸は電圧３０３である。なお、レベル３０２ａが略−１００ｄＢｍ、レベル３０２ｂを略−５０ｄＢｍとし、レベル３０２ｃを略０ｄＢｍとしている。
【００５８】
図２（ａ）において、第１のＲＦＡＧＣ電圧３０１は、第１のＡＧＣ電圧３０１ａと第１のＡＧＣ電圧３０１ｂとから構成されている。
【００５９】
この第１のＡＧＣ電圧３０１ａは、レベル３０２ａ（−１００ｄＢｍ）〜レベル３０２ｂ（−５０ｄＢｍ）の弱い希望信号の入力レベルに対するＡＧＣ電圧であり、ＲＦ増幅器１１９は最大利得とされる。
【００６０】
なお、第１のＲＦＡＧＣ電圧３０１は最小利得である上限電圧３０３ａと、最大利得である下限電圧３０３ｂを有している。
【００６１】
この最大利得に対して、最大利得制御範囲Ａを設けている。この最大利得制御範囲Ａとは、下限電圧３０３ｂと、この下限電圧３０３ｂに近接して設けられた最大利得判定電圧３０３ｇとの間の領域である。この最大利得制御範囲Ａにより、第１のＲＦＡＧＣ電圧３０１が最大利得の状態かどうかを判定することができる。
【００６２】
また、ＡＧＣ電圧３０１ｂは、レベル３０２ｂ（−５０ｄＢｍ）〜レベル３０２ｃ（０ｄＢｍ）の強い希望信号が入力された場合のＡＧＣ電圧であり、混合器１２１の出力レベルが一定レベルになるように利得制御する。
【００６３】
図２（ｂ）は、希望信号に対する第２のＩＦＡＧＣ電圧３１１の特性図である。この第２のＩＦＡＧＣ電圧３１１は、ＡＧＣ電圧３１１ａとＡＧＣ電圧３１１ｂからなっている。
【００６４】
なお、上限電圧３０３ｃ、下限電圧３０３ｄは、第２のＩＦＡＧＣ電圧３１１の上限電圧、下限電圧をそれぞれ表している。また、最小利得制御範囲Ｂは、上限電圧３０３ｃと、この上限電圧３０３ｃに近接して設けられた最小利得判定電圧３０３ｈとの間の領域である。この最小利得制御範囲Ｂにより、第２のＩＦＡＧＣ電圧３１１が最小利得の状態かどうかを判定することができる。
【００６５】
また、ＡＧＣ電圧３１１ａは、レベル３０２ａ（−１００ｄＢｍ）〜レベル３０２ｂ（−５０ｄＢｍ）の希望信号が入力された場合のＡＧＣ電圧であり、このＡＧＣ電圧３１１ａにより、ＩＦ増幅器１２５は利得制御される。
【００６６】
ＡＧＣ電圧３１１ｂは、レベル３０２ｂ（−５０ｄＢｍ）〜レベル３０２ｃ（０ｄＢｍ）の希望信号が入力された場合のＡＧＣ電圧である。このＡＧＣ電圧３１１ｂにより、ＩＦ増幅器１２５は最小利得とされる。
【００６７】
図２（ｃ）は、第１のＲＦＡＧＣ電圧３０１から第２のＩＦＡＧＣ電圧３１１を差し引いた第１のＲＦ−ＩＦＡＧＣ電圧３２１の特性図である。
【００６８】
なお、電圧３０３ｅ、３０３ｆは、第１のＲＦ−ＩＦＡＧＣ電圧３２１の上限値、下限値をそれぞれ表している。また、第１のＲＦ−ＩＦＡＧＣ電圧３２１がマイナスの電圧の場合は、下限値３０３ｆが出力されるものとしている。
【００６９】
図２（ｃ）において、ＡＧＣ電圧３２１ａは、レベル３０２ａ（−１００ｄＢｍ）〜レベル３０２ｂ（−５０ｄＢｍ）におけるＡＧＣ電圧を示している。また、ＡＧＣ電圧３２１ｂは、レベル３０２ｂ（−５０ｄＢｍ）〜レベル３０２ｃ（０ｄＢｍ）におけるＡＧＣ電圧を示している。
【００７０】
次に、希望信号と、この希望信号より２５ｄＢ大きな妨害信号からなる受信信号が入力される場合の妨害信号判定器２１０の動作について図３（ａ）、（ｂ）、（ｃ）により説明する。
【００７１】
図３（ａ）は、受信信号レベルに対するＲＦ増幅器１１９の第１のＲＦＡＧＣ電圧４０１の特性図である。この第１のＲＦＡＧＣ電圧４０１は、ＡＧＣ電圧４０１ａとＡＧＣ電圧４０１ｂ、およびＡＧＣ電圧４０１ｃとからなっている。なお、受信信号レベル３０２は、希望信号レベルとしている。
【００７２】
ＡＧＣ電圧４０１ａは、レベル３０２ａ（−１００ｄＢｍ）〜レベル３０２ｄ（−７５ｄＢｍ）の比較的弱い受信信号が入力される場合のＡＧＣ電圧である。この場合、妨害信号は−５０ｄＢｍ以下となりＲＦ増幅器１１９の利得制御に影響を与えることがないので、ＲＦ増幅器１１９は最大利得とされる。
【００７３】
ＡＧＣ電圧４０１ｂは、レベル３０２ｄ（−７５ｄＢｍ）〜レベル３０２ｅ（−２５ｄＢｍ）の希望信号が入力される場合のＡＧＣ電圧である。この場合、妨害信号は−５０ｄＢｍ〜０ｄＢｍとなるので、この妨害信号によりＲＦ増幅器１１９は利得制御が行われる。
【００７４】
ＡＧＣ電圧４０１ｃは、レベル３０２ｅ（−２５ｄＢｍ）〜レベル３０２ｃ（０ｄＢｍ）の希望信号が入力される場合のＡＧＣ電圧である。この場合、妨害信号が０ｄＢｍ以上となるので、ＲＦ増幅器１１９は最小利得とされる。
【００７５】
図３（ｂ）は、受信信号に対するＩＦ増幅器１２５の第１のＩＦＡＧＣ電圧４１１の特性図である。この第１のＩＦＡＧＣ電圧４１１は、ＡＧＣ電圧４１１ａ、ＡＧＣ電圧４１１ｂ、およびＡＧＣ電圧４１１ｃとからなっている。
【００７６】
ＡＧＣ電圧４１１ａは、レベル３０２ａ（−１００ｄＢｍ）〜レベル３０２ｄ（−７５ｄＢｍ）の比較的弱い受信信号が入力される場合のＡＧＣ電圧である。この場合、妨害信号は−５０ｄＢｍ以下となり、ＲＦ増幅器１１９の利得制御に影響を与えることがないので、ＲＦ増幅器１１９は最大利得とされる。
【００７７】
次に、ＡＧＣ電圧４１１ｂは、レベル３０２ｄ（−７５ｄＢｍ）〜レベル３０２ｅ（−２５ｄＢｍ）の希望信号が入力される場合のＡＧＣ電圧であるが、妨害信号は−５０ｄＢｍ〜０ｄＢｍとなるので、この妨害信号によりＲＦ増幅器１１９は利得制御が行われる。このため、妨害信号とともに希望信号もＲＦ増幅器１１９により利得制御されるので、このＲＦ増幅器１１９からは小さいレベルの希望信号が出力される。
【００７８】
この小さい希望信号とともにフィルタ１２３、デジタルフィルタ１３７により抑圧された妨害信号が、ＩＦ利得制御器１４１に入力される。この希望信号に対して大きい妨害信号を利得制御するために、ＡＧＣ電圧４１１ｂは、一定レベルとなる。
【００７９】
さらに、ＡＧＣ電圧４１１ｃは、レベル３０２ｅ（−２５ｄＢｍ）〜レベル３０２ｃ（０ｄＢｍ）の希望信号が入力される場合のＡＧＣ電圧である。この場合、妨害信号が０ｄＢｍ以上となるので、ＲＦ増幅器１１９は最も利得制御された状態となる。
【００８０】
図３（ｃ）は、第１のＲＦＡＧＣ電圧４０１から第１のＩＦＡＧＣ電圧４１１を差し引いた第１のＲＦ−ＩＦＡＧＣ電圧４２１の特性図である。
【００８１】
なお、電圧３０３ｅ、３０３ｆは、第１のＲＦ−ＩＦＡＧＣ電圧４２１の上限値、下限値を表している。また、第１のＲＦ−ＩＦＡＧＣ電圧４２１がマイナスの電圧の場合は、下限値３０３ｆが出力されるものとしている。
【００８２】
この第１のＲＦ−ＩＦＡＧＣ電圧４２１は、ＡＧＣ電圧４２１ａとＡＧＣ電圧４２１ｂとＡＧＣ電圧４２１ｃとからなっている。
【００８３】
このＡＧＣ電圧４２１ａは、レベル３０２ａ（−１００ｄＢｍ）〜レベル３０２ｂ（−５０ｄＢｍ）におけるＡＧＣ電圧である。これは、ＡＧＣ電圧４２１ａが０Ｖ付近のＡＧＣ電圧を有しており、希望信号のみが入力された場合である図２（ｃ）のＡＧＣ電圧特性と同じになる。この場合には、妨害信号が小さいので影響がない。
【００８４】
また、ＡＧＣ電圧４２１ｂは、レベル３０２ｂ（−５０ｄＢｍ）〜レベル３０２ｅ（−２５ｄＢｍ）におけるＡＧＣ電圧であり、ＡＧＣ電圧が０Ｖ以上のＡＧＣ電圧を有している。これは、大きな妨害信号のため、ＩＦ増幅器１２５がＩＦＡＧＣ電圧により利得制御されるよりも前に、ＲＦ増幅器１１９がＲＦＡＧＣ電圧により利得制御されるためである。
【００８５】
さらに、ＡＧＣ電圧４２１ｃは、レベル３０２ｅ（−２５ｄＢｍ）〜レベル３０２ｃ（０ｄＢｍ）におけるＡＧＣ電圧であり、ＡＧＣ電圧が０Ｖ以上のＡＧＣ電圧を有している。これは、さらに大きな妨害信号のため、ＩＦ増幅器１２５がＩＦＡＧＣ電圧により利得制御されるよりも前に、ＲＦ増幅器１１９がＲＦＡＧＣ電圧により利得制御されるためである。
【００８６】
これにより、例えばレベル３０２ｂ（−５０ｄＢｍ）以上では、ＲＦＡＧＣ電圧はＩＦＡＧＣ電圧より大きいＡＧＣ電圧を有し、第１のＲＦ−ＩＦＡＧＣ電圧４２１ｂは０Ｖ以上の電圧を有することになる。これにより、妨害信号による影響度を判定できる。
【００８７】
次に、希望信号と、この希望信号より５０ｄＢ大きな妨害信号からなる受信信号が入力される場合の妨害信号判定器２１０の動作について図４（ａ）、（ｂ）、（ｃ）により説明する。なお、受信信号レベル３０２ｃは、希望信号レベルとしている。
【００８８】
図４（ａ）は、受信信号レベルに対するＲＦ増幅器１１９の第１のＲＦＡＧＣ電圧５０１の特性図である。この第１のＲＦＡＧＣ電圧５０１は、ＡＧＣ電圧５０１ａとＡＧＣ電圧５０１ｂからなっている。
【００８９】
このＡＧＣ電圧５０１ａは、レベル３０２ａ（−１００ｄＢｍ）〜レベル３０２ｂ（−５０ｄＢｍ）の受信信号が入力される場合のＡＧＣ電圧である。この場合、ＲＦ増幅器１１９は−５０ｄＢｍ〜０ｄＢｍの妨害信号により利得制御されている。
【００９０】
ＡＧＣ電圧５０１ｂは、レベル３０２ｂ（−５０ｄＢｍ）〜レベル３０２ｃ（０ｄＢｍ）の受信信号が入力される場合のＡＧＣ電圧である。この場合、ＲＦ増幅器１１９は０ｄＢｍ以上の妨害信号により最小利得の状態とされている。
【００９１】
図４（ｂ）は、受信信号に対するＩＦ増幅器１２５の第２のＩＦＡＧＣ電圧５１１の特性図である。この第２のＩＦＡＧＣ電圧５１１は、ＡＧＣ電圧５１１ａ、ＡＧＣ電圧５１１ｂからなっている。
【００９２】
このＡＧＣ電圧５１１ａ、５１１ｂは、レベル３０２ａ（−１００ｄＢｍ）〜レベル３０２ｃ（０ｄＢｍ）の希望信号が入力される場合のＡＧＣ電圧であるが、ＲＦ増幅器１１９は−５０ｄＢｍ以上の妨害信号により最小利得とされている。このため、ＩＦ増幅器１２５のＡＧＣ電圧５１１ｂは、最大利得とされる。
【００９３】
図４（ｃ）は、第１のＲＦＡＧＣ電圧５０１から第２のＩＦＡＧＣ電圧５１１を差し引いた第１のＲＦ−ＩＦＡＧＣ電圧５２１の特性図である。
【００９４】
なお、電圧３０３ｅ、３０３ｆは、第１のＲＦ−ＩＦＡＧＣ電圧５２１の上限値、下限値を表している。また、第１のＲＦ−ＩＦＡＧＣ電圧５２１がマイナスの電圧の場合は、下限値３０３ｆが出力されるものとしている。
【００９５】
この第１のＲＦ−ＩＦＡＧＣ電圧５２１は、ＡＧＣ電圧５２１ａとＡＧＣ電圧５２１ｂとからなっている。このＡＧＣ電圧５２１ａは、レベル３０２ａ（−１００ｄＢｍ）〜レベル３０２ｂ（−５０ｄＢｍ）におけるＡＧＣ電圧である。このＡＧＣ電圧５２１ａは０Ｖ以上で入力信号レベルの大きさに応じてＡＧＣ電圧が大きくなっている。
【００９６】
また、ＡＧＣ電圧５２１ｂは、レベル３０２ｂ（−５０ｄＢｍ）〜レベル３０２ｃ（０ｄＢｍ）におけるＡＧＣ電圧であり、ＡＧＣ電圧が０Ｖ以上のＡＧＣ電圧を有している。
【００９７】
このＲＦＡＧＣ電圧５２１ａ、５２１ｂが０Ｖ以上のＡＧＣ電圧を有するのは、大きな妨害信号のため、ＩＦ増幅器１２５がＩＦＡＧＣ電圧により利得制御されるよりも前に、ＲＦ増幅器１１９がＲＦＡＧＣ電圧により利得制御されるためである。
【００９８】
これにより、例えばレベル３０２ｂ（−５０ｄＢｍ）以上では、ＲＦＡＧＣ電圧はＩＦＡＧＣ電圧より大きいＡＧＣ電圧を有し、第１のＲＦ−ＩＦＡＧＣ電圧４２１ｂは０Ｖ以上の電圧を有することになる。これにより、妨害信号による影響度を判定できる。
【００９９】
このように、図２（ｃ）は、希望信号レベルだけが入力される場合の第１のＲＦ−ＩＦＡＧＣ電圧３２１である。また、図３（ｃ）は、希望信号とこの希望信号より２５ｄＢ大きい妨害信号が入力される場合の第１のＲＦ−ＩＦＡＧＣ電圧４２１である。さらに、図４（ｃ）は、希望信号とこの希望信号より５０ｄＢ大きい妨害信号が入力される場合の第１のＲＦ−ＩＦＡＧＣ電圧５２１である。
【０１００】
これより明らかなように、希望信号だけが入力される場合の第１のＲＦ−ＩＦＡＧＣ電圧３２１に対して、希望信号と大きな妨害信号が入力される場合の第１のＲＦ−ＩＦＡＧＣ電圧４２１は、レベル３０２ｂ（−５０ｄＢｍ）において大きいＡＧＣ電圧となる。
【０１０１】
さらに、この第１のＲＦ−ＩＦＡＧＣ電圧４２１に対して、希望信号とさらに大きな妨害信号が入力される場合の第１のＲＦ−ＩＦＡＧＣ電圧５２１は、レベル３０２ａ（−１００ｄＢｍ）〜レベル３０２ｃ（０ｄＢｍ）において大きいＡＧＣ電圧となる。
【０１０２】
これら第１のＲＦ−ＩＦＡＧＣ電圧３２１、４２１、５２１を用いることにより、妨害信号判定器２１０において、希望信号に対する妨害信号レベルの大きさを電圧により判定することができる。
【０１０３】
例えば、希望信号に対する妨害信号レベルを判定するために、閾値としてのＡＧＣ電圧３０３ｊを設ける。このＡＧＣ電圧３０３ｊよりも第１のＲＦ−ＩＦＡＧＣ電圧３２１、４２１、５２１が大きい電圧を有する場合に、妨害信号による受信品質の劣化が発生するものと判定できる。
【０１０４】
次に、受信信号判定器２１２の動作について説明する。この受信信号判定器２１２には、選局状態とされた第２のチューナ部からの第２のＲＦＡＧＣ電圧と第２のＩＦＡＧＣ電圧が入力されている。
【０１０５】
また、この受信信号判定器２１２には基本的に妨害信号判定器２１０と同じ回路機能が内蔵されている。従って、図２（ａ）、（ｂ）、（ｃ）、図３（ａ）、（ｂ）、（ｃ）、図４（ａ）、（ｂ）、（ｃ）を用いて以下説明する。
【０１０６】
なお、第１のＲＦＡＧＣ電圧３０１、４０１、５０１は、第２のＲＦＡＧＣ電圧３０１ａ、４０１ａ、５０１ａに相当する。
【０１０７】
また、第１のＩＦＡＧＣ電圧３１１、４１１、５１１は、第２のＩＦＡＧＣ電圧３１１ａ、４１１ａ、５１１ａに相当する。
【０１０８】
さらに、第１のＲＦ−ＩＦＡＧＣ電圧３２１、４１２、５２１は、第２のＲＦ−ＩＦＡＧＣ電圧３２１ａ、４２１ａ、５２１ａに相当する。
【０１０９】
例えば、単一の受信信号だけを受信する場合には、図２（ａ）の第１のＲＦＡＧＣ電圧３０１と、図２（ｂ）の第１のＩＦＡＧＣ電圧３１１により受信信号レベルを判定できる。
【０１１０】
さらに、大きなレベルを有する妨害信号とともに単一の受信信号を受信する場合には、図３（ｃ）の第２のＲＦ−ＩＦＡＧＣ電圧４２１、あるいは図４（ｃ）の第２のＲＦ−ＩＦＡＧＣ電圧５２１を用いればよい。この第２のＲＦ−ＩＦＡＧＣ電圧４２１、５２１が０Ｖ以上として出力される場合は、この受信信号以外に大きな妨害信号が存在することになるので、大きな妨害信号を選局すればよいことになる。
【０１１１】
このようにして、第２のＲＦ−ＩＦＡＧＣ電圧３２１、４２１、５２１により大きな妨害信号を判定することができる。
【０１１２】
次に、この方法以外の大きな妨害信号を判定する方法について以下説明する。
【０１１３】
図２（ａ）、図３（ａ）、図４（ａ）には、最大利得制御範囲Ａ、最小利得制御範囲Ｂを設けている。この最大利得制御範囲Ａとは、下限電圧３０３ｂと、この下限電圧３０３ｂに近接して設けられた最大利得判定電圧３０３ｇとの間の領域である。この最大利得制御範囲Ａにより、第１のＲＦＡＧＣ電圧３０１、第１のＲＦＡＧＣ電圧４０１、第１のＲＦＡＧＣ電圧５０１が、最大利得の状態かどうかを判定することができる。
【０１１４】
また、最小利得制御範囲Ｂは、上限電圧１０３ｃと、この上限電圧１０３ｃに近接して設けられた最小利得判定電圧１０３ｈとの間の領域である。この最小利得制御範囲Ｂにより、第２のＩＦＡＧＣ電圧３０１、第２のＩＦＡＧＣ電圧４０１、第２のＩＦＡＧＣ電圧５０１が最小利得の状態かどうかを判定することができる。
【０１１５】
すなわち、希望信号レベルだけの場合には、第１のＲＦＡＧＣ電圧３０１が最大利得制御範囲Ａの範囲内に存在している、あるいは第１のＩＦＡＧＣ電圧３１１が最小利得制御範囲Ｂの範囲内に存在している。
【０１１６】
ところが、希望信号レベルに対して大きな妨害信号レベルが存在する場合、第１のＡＧＣ電圧４０１、５０１は最大利得制御範囲Ａから離れ、この離れている場合には第１のＩＦＡＧＣ電圧４１１、５１１は最小利得制御範囲Ｂから離れている。
【０１１７】
さらに、希望信号レベルに対して大きな妨害信号レベルが大きくなると、第１のＩＦＡＧＣ電圧４１１、５１１は最大利得制御範囲Ａからさらに離れる。
【０１１８】
このように、例えば、第１のＲＦＡＧＣ電圧３０１、４０１、５０１が最大利得制御範囲Ａの範囲内かどうか、および第２のＩＦＡＧＣ電圧３１１、４１１、５１１が最小利得制御範囲Ｂの範囲内かどうかにより、妨害信号による受信品質への影響度を判定することができる。
【０１１９】
次に、受信品質制御器２１４について説明する。この受信品質制御器２１４は、妨害信号判定器２１０からの判定信号によりダイバシティ受信をシングル受信に変更し、大きな妨害信号を合成器１１３にてキャンセルできるようにキャンセル信号生成部１１１を制御する。
【０１２０】
このキャンセル信号生成部１１１について説明する。第２のチューナ部１０５では大きな妨害信号が選局され、この妨害信号がデジタルフィルタ１８７から出力される。
【０１２１】
この妨害信号がキャンセル信号生成部１１１のキャンセル信号生成器２１８に入力される。このキャンセル信号生成器２１８では、受信品質制御器２１４の制御信号が入力される位相・振幅制御器２１６により位相と振幅の制御が行われる。
【０１２２】
このキャンセル信号生成器から出力されるキャンセル信号は、アナログ信号をデジタル信号に変換するＤＡコンバータ２２０に入力される。このＤＡコンバータから出力されるデジタル信号は、混合器２２２の一方に供給されている。
【０１２３】
この混合器２２２の他方の入力には、ＰＬＬ回路２２６により発振周波数が制御される発振器２２４の出力が接続されている。この混合器２２２からの出力信号は、入力端子１０３ａから入力される大きな妨害信号と同じ周波数で、同じ振幅で、逆位相を有するキャンセル信号とされる。このキャンセル信号は、第１のチューナ部１０３の合成器１１３の他方の入力に供給され、この合成器１１３において、入力端子１０３ａから入力される大きな妨害信号をキャンセルできる。
【０１２４】
このキャンセルの動作は、何回か繰り返されることになる。すなわち、第１のチューナ部１０３の合成器１１３でキャンセルされたのち、妨害信号判定器２１０にて妨害信号レベルを判定し、この判定した妨害信号レベルが小さくできるように位相・振幅制御器２１６により制御されることになる。
【０１２５】
このように位相・振幅制御する場合に、妨害信号の判定として第１、第２のＲＦＡＧＣ電圧、第１、第２のＩＦＡＧＣ電圧を用いているため、高速に判定できる。従って、高速で移動中であっても、短い時間で妨害信号をキャンセルすることができる。
【０１２６】
また、キャンセル信号生成器２１８に入力される妨害信号は、デジタルフィルタ１８７の出力信号としているので、余分な妨害信号を抑圧した大きな妨害信号を抽出することができる。従って、妨害信号をキャンセルする精度が高くできる。
【０１２７】
図５は、高周波受信装置１０１の受信品質制御部１０９とキャンセル信号生成部１１１を用いて妨害信号を判定し、妨害信号をキャンセルするフローチャートである。
【０１２８】
なお、１セグメントの放送では、例えば、誤り訂正部２０５はビタビ復号とリードソロモン復号器から構成される（図示せず）。また、放送が正しく受信できる限界点は例えばビタビ復号後のＢＥＲが２×１０-3程度である。
【０１２９】
図５において、受信ステップ６０１により、第１のチューナ部１０３をシングル受信する。さらに、受信ステップ６０２に移行して、ＢＥＲ判定器２０７により受信品質を判定する。この判定結果として、受信品質が例えばＢＥＲが１×１０-3以下と良好な場合は受信ステップ６０２にもどり、ＢＥＲが例えば１×１０-3以上と劣化している場合には受信ステップ６０３に移行する。
【０１３０】
この受信ステップ６０３では、シングル受信からダイバシティ受信とし、受信ステップ６０４に移行する。
【０１３１】
この受信ステップ６０４では、ＢＥＲ判定器２０７によりＢＥＲを判定する。この判定結果として、例えばＢＥＲが１×１０-9以下と良好な場合は、受信ステップ６０１に戻りシングル受信とし、例えばＢＥＲが１×１０-9以上でかつ１×１０-3以下の場合には受信ステップ６０４に移行し、他方ＢＥＲが例えば１×１０-3以上と悪い場合には、受信ステップ６０５に移行する。
【０１３２】
なお、この１×１０-9のＢＥＲ測定には一般に長い時間が必要となり、受信品質の劣化があった場合に早い応答ができない。この改善のためには、ダイバ受信で用いるＢＥＲ１×１０-9をＢＥＲ１×１０-3に近づけて設定することにより可能となる。この閾値としてのＢＥＲをＢＥＲ判定器２０７に設けられたＢＥＲ入力端子２０７ａ（図示せず）から入力することができる。
【０１３３】
またこの場合に、ダイバ受信とシングル受信の感度差を小さくすることにより、シングル受信とダイバ受信との切り替えを円滑に行うことができる。このため、例えばシングル受信の時に用いる第１のチューナ部１０３の高周波増幅器１１７や混合器１２１への電流を通常より多くして雑音指数を改善するなどの手段が考えられる。
【０１３４】
この受信ステップ６０５では、妨害信号判定器２１０により妨害信号レベルを判定する。この判定結果として、希望信号レベルに対する妨害信号レベルが予め定められた基準値より小さい場合には、受信ステップ６０４に移行し、希望信号レベルに対する妨害信号レベルが予め定められた基準値より大きい場合には、受信ステップ６０６に移行する。
【０１３５】
この受信ステップ６０６では、第１のチューナ部１０３をシングル受信とし、さらに第２のチューナ部１０５により受信信号を選局サーチして受信信号のうちの最も大きなレベルの妨害信号となる受信信号を判定し、受信ステップ６０７に移行する。
【０１３６】
この受信ステップ６０７では、第２のチューナ部１０５で受信した最も大きな妨害信号をキャンセル信号生成部１１１に入力してキャンセル信号を作成し、受信ステップ６０８に移行する。
【０１３７】
この受信ステップ６０８では、作成されたキャンセル信号を合成器１１３の他方に供給し、最も大きな妨害信号をキャンセルし、受信ステップ６０９に移行する。
【０１３８】
この受信ステップ６０９では、妨害信号判定器２１０により妨害信号レベルを検出し、前回の妨害信号レベルと比較し判定される。この判定結果として、希望信号に対する妨害信号レベルが小さい場合には、受信ステップ６０３に戻りダイバシティ受信とし、一方希望信号に対する妨害信号レベルが大きい場合には、受信ステップ６０７に移行する。
【０１３９】
なお、受信ステップ６０４において、ＢＥＲが例えば１×１０-3以上と悪い場合には、受信ステップ６０５を飛ばして、受信ステップ６０６に移行してもよい。
【０１４０】
以上のように、妨害信号判定器２１０により希望信号レベルに対する妨害信号レベルが予め定められた基準値より大きい場合に、第２のチューナ部１０５において受信信号判定器２１２により妨害信号の中で最大レベルの妨害信号を選局し、この最大レベルの妨害信号からキャンセル信号生成部１１１によりキャンセル信号を生成し、このキャンセル信号を合成器１１３の他方の入力に供給することにより大きな妨害信号をキャンセルすることができる。
【０１４１】
なお、キャンセル信号生成器２１８に入力される妨害信号は、デジタルフィルタ１８７からの出力信号としているので、このデジタルフィルタ１８７により余分な妨害信号が抑圧されるとともに大きな妨害信号を選択できる。このため、合成器１１３の一方の入力に供給される受信品質を劣化させる大きな妨害信号をキャンセルする精度を高くできる。
【０１４２】
さらに、受信品質信号の判定は、第１のＲＦＡＧＣ電圧、第１のＩＦＡＧＣ電圧を用いて行うので、瞬時に判定することが可能となる。このため、刻々と受信状況が変化する高速移動中であっても、受信条件の画面への表示をスムーズに行うことができる。
【０１４３】
これにより、大きな妨害信号の存在する受信条件であっても、受信品質を改善できるチューナ受信部１１５およびこれを用いた高周波受信装置１０１を提供できる。
【０１４４】
なお、第１のチューナ部１０３、第２のチューナ部１０５では、混合器１２１、１７１をシングルスーパとして用いたが、ダイレクトコンバージョンとして用いても、同様である。すなわち、混合器１２１、１７１をそれぞれＩ、Ｑ信号用の２つの混合器とし、これらＩ、Ｑ信号用の混合器の他方の入力には、発振器１２９、１７９からの発振信号を互いに９０度の位相差を持たせてそれぞれ入力する。このように、ダイレクトコンバージョンとした場合には、ダイレクトコンバージョン以降の周波数が、Ｉ、Ｑ信号の低周波信号となる。つまり、低周波での信号処理となるので、集積回路化が容易となる。また、他の信号との干渉が発生しにくい。
【０１４５】
また、チューナ部１０３、１０５では、混合器１２１、１７１をシングルスーパとして用いたが、イメージリジェクションミキサとして用いても、同様である。すなわち、混合器１２１を混合器１２１ａ、１２１ｂ（図示せず）とし、これら混合器１２１ａ、１２１ｂの他方の入力には、発振器１２９からの発振信号を互いに９０度の位相差を持たせてそれぞれ入力する。さらに、混合器１２１ａ、１２１ｂの出力を例えばポリフェーズフィルタで合成する。これにより、イメージ信号による妨害を改善でき、フィルタ１２３、１７３を簡素化できる。
【０１４６】
さらに、本実施の形態では、混合器１２１、１７１を用いて信号処理を行っているが、混合器１２１ｃ、１７１ｃ（ともに図示せず）をフィルタ１２３とＩＦ増幅器１２５、フィルタ１７３とＩＦ増幅器１７５の間にそれぞれ挿入して用いてもよい。
【０１４７】
この場合、混合器１２１、１７１からは中間周波信号が出力され、さらにこの中間周波信号が混合器１２１ｃ、１７１ｃに入力される。これにより、混合器１２１、１７１からは単一周波数である中間周波信号を出力できる。この中間周波信号を混合器１２１ｃ、１７１ｃに入力できるので、例えば混合器１２１ｃ、１７１ｃをダイレクトコンバージョンとすれば、精度のよいＩＱ信号を出力できる。
【０１４８】
さらになお、本発明の実施の形態では、一例としてデジタル方式のテレビ放送信号を受信する場合について説明したが、アナログ方式のテレビ放送信号を受信する場合においてもアナログテレビ方式用のデジタル信号処理部、ダイバシティ部を用いＢＥＲに変えてＣ／Ｎ値などで計測を行うことにより同様の効果が得られる。
【０１４９】
なお、ＩＦ利得制御器１４１の入力には、デジタルフィルタ１３７の出力を接続する代わりに、デジタル信号処理部１２７への入力信号を接続してもよい。この場合、妨害信号は主にフィルタ１２３により抑圧されることになるが、このフィルタ１２３では、隣接妨害信号あるいは隣々接妨害信号以外の妨害信号を抑圧することができる。
【０１５０】
（実施の形態２）
以下、実施の形態２における高周波受信装置７１０について図面を用いて説明する。
【０１５１】
図６は、本実施の形態における高周波受信装置７０１の回路ブロック図である。実施の形態１の高周波受信装置１０１に対して、本実施の形態の高周波受信装置７０１のキャンセル信号生成器７０３への入力には、フィルタ１７３の出力が接続され、キャンセル信号生成器７０３と合成器１１３の間には、ＤＡコンバータ２２０が削除され短絡されている点が異なる。
【０１５２】
なお、本実施の形態における高周波受信装置７０１は、実施の形態１の高周波受信装置１０１と同様の効果を奏するものである。
【０１５３】
また、図６で使用した部品について、図１と同じものについては同一の番号を付して説明を簡略化している。
【０１５４】
図６において、高周波受信装置７０１は、チューナ受信部７０２と、ダイバシティ・誤り訂正部１０７から構成されている。このチューナ受信部７０２は、第１のチューナ部１０３と、第２のチューナ部１０５と、受信品質制御部１０９と、キャンセル信号生成部７０５から構成されている。
【０１５５】
このキャンセル信号生成部７０５は、キャンセル信号生成器７０３と、位相・振幅制御器２１６と、混合器２２２と、発振器２２４と、ＰＬＬ回路２２６により構成されている。
【０１５６】
このように構成された第２のチューナ部１０５において、フィルタ１７３の出力である中間周波信号がキャンセル信号生成器７０３に入力される。このキャンセル信号生成器７０３では、位相・振幅制御器２１６により中間周波信号の位相と振幅が制御されたのち、混合器２２２の一方に入力され、他方には発振器２２４が入力されている。
【０１５７】
これにより、混合器２２２から出力される信号は、入力端子１０３ａから入力される妨害信号と同じ周波数で、同じ振幅で、逆位相を有するキャンセル信号とできる。このキャンセル信号は、合成器１１３の他方の入力に供給され、合成器１１３において妨害信号をキャンセルすることができる。
【０１５８】
以上のように、妨害信号判定器２１０により希望信号レベルに対する妨害信号レベルが予め定められた基準値より大きい場合に、第２のチューナ部１０５において受信信号判定器２１２により妨害信号の中で最大レベルの妨害信号を選局し、この最大レベルの妨害信号からキャンセル信号生成部７０５によりキャンセル信号を生成し、このキャンセル信号を合成器１１３の他方の入力に供給することにより受信品質を劣化させる大きな妨害信号をキャンセルすることができる。
【０１５９】
なお、キャンセル信号生成器７０３に入力される妨害信号は、フィルタ１７３からの出力信号としているので、このフィルタ１７３により余分な妨害信号を除去するとともに大きな妨害信号を選択できる。このため、合成器１１３の一方の入力に供給される受信品質を劣化させる大きな妨害信号をキャンセルする精度を高くできる。
【０１６０】
このようにして、大きな妨害信号の存在する受信条件であっても、受信品質を改善できるチューナ受信部およびこれを用いた高周波受信装置を提供できる。
【０１６１】
また、受信品質信号の判定は、すべて第１、第２のＲＦＡＧＣ電圧、第１、第２のＩＦＡＧＣ電圧を用いて行うので、瞬時に判定することが可能となる。このため、刻々と受信状況が変化する高速移動中であっても、受信条件の画面への表示をスムーズに行うことができる。
【０１６２】
（実施の形態３）
以下、実施の形態３における高周波受信装置８０１について図面を用いて説明する。
【０１６３】
図７は、本実施の形態における高周波受信装置８０１の回路ブロック図である。実施の形態１の高周波受信装置１０１に対して、本実施の形態の高周波受信装置８０１では、同調電圧により同調周波数を可変できる同調可変フィルタ８０３、８０５とし、この同調可変フィルタ８０３の出力をキャンセル信号生成器８０７に入力し、キャンセル信号生成器８０７と合成器１１３の他方の入力とは、直接接続されている点が異なる。
【０１６４】
なお、本実施の形態における高周波受信装置８０１は、実施の形態１の高周波受信装置１０１と同様の効果を奏するものである。
【０１６５】
また、図７で使用した部品について、図１と同じものについては同一の番号を付して説明を簡略化している。
【０１６６】
図７において、高周波受信装置８０１は、チューナ受信部８０２と、ダイバシティ・誤り訂正部１０７から構成されている。このチューナ受信部８０２は、第１のチューナ部１０３と、第２のチューナ部１０５と、受信品質制御部１０９と、キャンセル信号生成部８０９から構成されている。
【０１６７】
このキャンセル信号生成部８０９は、キャンセル信号生成器８０７と、位相・振幅制御器２１６により構成されている。
【０１６８】
このように構成された第２のチューナ部１０５において、可変同調フィルタ８０３の出力である高周波信号がキャンセル信号生成器８０７に入力される。このキャンセル信号生成器８０７からは、位相・振幅制御器２１６により高周波信号の位相と振幅が制御された高周波信号が出力される。
【０１６９】
これにより、合成器１１３の他方の入力には、入力端子１０３ａから入力される妨害信号と同じ周波数で、同じ振幅で、逆位相を有するキャンセル信号が供給され、合成器１１３において妨害信号をキャンセルすることができる。
【０１７０】
以上のように、妨害信号判定器２１０により希望信号レベルに対する妨害信号レベルが予め定められた基準値より大きい場合に、第２のチューナ部１０５と受信信号判定器２１２により、妨害信号の中で最大レベルの妨害信号を選局し、この最大レベルの妨害信号からキャンセル信号生成部８０９によりキャンセル信号を生成し、このキャンセル信号を合成器１１３の他方の入力に供給することにより受信品質を劣化させる大きな妨害信号をキャンセルすることができる。
【０１７１】
なお、キャンセル信号生成器８０７に入力される妨害信号は、可変同調フィルタ８０３により同調された出力信号としている。この出力信号は、第１のチューナ部に入力される妨害信号に対して、同じ周波数で、振幅も位相もほぼ同じである。従って、キャンセル信号生成部８０９においてキャンセル信号を生成するときの繰り返し時間を短縮できる。
【０１７２】
このようにして、大きな妨害信号の存在する受信条件であっても、受信品質を改善できるチューナ受信部８０２およびこれを用いた高周波受信装置８０１を提供できる。
【０１７３】
また、受信品質信号の判定は、すべて第２のＲＦＡＧＣ電圧、第２のＩＦＡＧＣ電圧を用いて行うので、瞬時に判定することが可能となる。このため、刻々と受信状況が変化する高速移動中であっても、受信条件の画面への表示をスムーズに行うことができる。
【産業上の利用可能性】
【０１７４】
本発明に関わる高周波受信装置では、希望信号レベルに対して大きな妨害信号レベルを有する受信条件であっても、この妨害信号レベルをＲＦＡＧＣ電圧、ＩＦＡＧＣ電圧を用いて判定し、この大きな妨害信号を一方のチューナ部の合成器によりキャンセルすることができるので、移動受信用の高周波受信装置等に最適である。
【図面の簡単な説明】
【０１７５】
【図１】本発明の実施の形態１における高周波受信装置のブロック図
【図２】（ａ）同、希望信号に対する第１、第２のＲＦＡＧＣ電圧を表す図、（ｂ）同、希望信号に対する第１、第２のＩＦＡＧＣ電圧を表す図、（ｃ）同、希望信号に対する第１、第２のＲＦ−ＩＦＡＧＣ電圧を表す図
【図３】（ａ）同、受信信号に対する第１、第２のＲＦＡＧＣ電圧を表す図、（ｂ）同、受信信号に対する第１、第２のＩＦＡＧＣ電圧を表す図、（ｃ）同、受信信号に対する第１、第２のＲＦ−ＩＦＡＧＣ電圧を表す図
【図４】（ａ）同、受信信号に対する第１、第２のＲＦＡＧＣ電圧を表す図、（ｂ）同、受信信号に対する第１、第２のＩＦＡＧＣ電圧を表す図、（ｃ）同、受信信号に対する第１、第２のＲＦ−ＩＦＡＧＣ電圧を表す図
【図５】同、高周波受信装置１０１において妨害信号をキャンセルするフローチャート
【図６】本発明の実施の形態２における高周波受信装置のブロック図
【図７】本発明の実施の形態３における高周波受信装置のブロック図
【図８】従来例における高周波受信装置のブロック図
【符号の説明】
【０１７６】
１０３  第１のチューナ部
１０３ａ  入力端子
１０３ｂ  出力端子
１０５  第２のチューナ部
１０５ａ  入力端子
１０５ｂ  出力端子
１１１  キャンセル信号生成部
１１３  合成器
１１５  チューナ受信部
１１９  ＲＦ増幅器
１２１  混合器
１２３  フィルタ
１２５  ＩＦ増幅器
１２７  デジタル信号処理部
１３３  ＲＦ利得制御器
１４１  ＩＦ利得制御器
１６９  ＲＦ増幅器
１７１  混合器
１７３  フィルタ
１７５  ＩＦ増幅器
１７７  デジタル信号処理部
１８３  ＲＦ利得制御器
１９１  ＩＦ利得制御器
２１０  妨害信号判定器
２１２  受信信号判定器
２１４  受信品質制御器
【図１】
2009232140.tif 000003
【図２】
2009232140.tif 000004
【図３】
2009232140.tif 000005
【図４】
2009232140.tif 000006
【図５】
2009232140.tif 000007
【図６】
2009232140.tif 000008
【図７】
2009232140.tif 000009
【図８】
2009232140.tif 000010